(57)【特許請求の範囲】
【請求項１】
４つのコーナー部を有する平面視四角形の天板と、前記天板を各コーナー部において支持する４本の脚装置とを備えており、複数台を左右に連結可能なテーブルであって、
前記脚装置は、上下に長い脚本体とその上端に設けられたブラケットとを有しており、平面視において前記脚本体の中心とブラケットの中心とは互いにずれており、前記各脚装置を、前後脚装置の前後間隔が広がっている外側位置と前後間隔が狭まっている内側位置との２つの位置を選択して前記天板の下面にねじで固定できる一方、
前記天板の下面には、前記天板における左右長手の辺に沿って延びる左右横長の第１補強フレームと、天板における前後長手の辺に沿って延びる第２補強フレームとが固定可能であり、
前記脚装置が内側位置にある状態では前記第１補強フレームが使用されて、前記ブラケットの端部に設けた係合部が前記第１補強フレームの端部に下から重なってそれらがねじで天板に共締めされ、前記脚装置が前記外側位置にある状態では前記第２補強フレームが使用されて、前記ブラケットの端部に設けた係合部が前記第２補強フレームの端部に下から重なってそれらがねじで天板に共締めされるように設定されている、
テーブル。
【請求項２】
前記脚装置が外側位置にあるときは、平面視で前記脚本体の中心と前記ブラケットの中心とを結ぶ線が天板の対角方向と略同じ方向に延びており、前記内側位置にあるときの脚装置の平面視姿勢は、前記外側位置にあるときの脚装置の平面視姿勢を略９０°水平旋回させた状態になっている、
請求項１に記載したテーブル。
【請求項３】
４つのコーナー部を有する平面視四角形の天板と、前記天板を各コーナー部において支持する４本の脚装置とを備えており、複数台を左右に連結可能なテーブルであって、
前記前記脚装置は、上下に長い脚本体とその上端に設けられたブラケットとを有しており、前記ブラケットは４つのコーナー部を有する平面視正方形であって、前記ブラケットにおける４つの各コーナー部に、上下に貫通したねじ穴が周方向に等間隔で形成されている一方、前記脚本体は、平面視において前記ブラケットの外側の位置でかつ、前記ブラケットにおける１つの対角方向の延長線上に位置しており、
前記脚装置のブラケットを平面視で９０°水平旋回させて前記天板への取付け姿勢を変えると、前記脚本体の位置が前記ブラケットの軸心に対して前後に変化する、
テーブル。
【請求項４】
平面視四角形の天板を有していて複数台を左右に連結できるテーブルに使用される脚装置であって、
上下に長い脚本体とその上端に設けられたブラケットとを有しており、前記ブラケットは４つのコーナー部を有する平面視正方形であって、前記ブラケットにおける４つの各コーナー部に、上下に貫通したねじ穴が周方向に等間隔で形成されている一方、前記脚本体は、平面視において前記ブラケットの外側の位置でかつ、前記ブラケットにおける１つの対角方向の延長線上に位置しており、
前記ブラケットを平面視で９０°水平旋回させて前記天板への取付け姿勢を変えると、前記脚本体の位置が前記ブラケットの軸心に対して前後に変化する、
テーブル用脚装置。
【発明の詳細な説明】
【技術分野】
【０００１】
本願発明はテーブル及びこれに使用する脚装置に関し、特に、独立して使用したり複数台を連結して使用したりするテーブル及びその脚装置を対象にしている。
【背景技術】
【０００２】
テーブルは天板を棒状の脚で支持した構成になっていることが殆どであり、平面視形状は四角形のものが多い。そして、２つのテーブルを左右に並べたり背中合わせに並べたりするに際して、隣り合った天板を金具で連結することが行われている。例えば、各辺の箇所に１人ずつ腰掛けることができる平面視正方形のテーブルを左右に２つ連結することで、３人ずつが対向して使用できる長方形のテーブルと成すことが行われている。
【０００３】
このように、２つのテーブルを連結した場合、隣り合ったテーブルにおける当接部の近傍の脚が使用者の足に当たりやすいという問題があり、そこで、テーブル同士を連結した状態では、テーブル同士の当接部を構成する一辺（当接辺）の近傍に位置した脚を、テーブルの奥側にずらすことが行われている。例えば特許文献１には、脚装置をそのままの平面視姿勢で天板の当接辺に沿ってテーブルの内側にずらし移動し、その状態でビス（ボルト）で固定することが開示されている。従って、天板の下面には、脚装置を外側位置（第１脚取付部）に固定するためのねじ穴の群と、内側位置（第２脚取付部）に固定するためのねじ穴群とが予め形成されている。
【０００４】
特許文献１の脚装置は、上下に長い脚本体の上端に面積が大きい天板支持部を設けた構造になっており、天板支持部は、外側位置に配置した状態では、平面視で脚本体の中心からおおむね天板の対角方向に向かって突出する姿勢になっている。従って、脚装置を外側位置（第１脚取付部）に配置した状態では、脚本体をできるだけ天板の外側寄りに位置させつつ広い面積の天板支持部を天板にしっかりと固定できるため、テーブルを連結せずに独立して使用する場合の安定性を向上できると言える。
【先行技術文献】
【特許文献】
【０００５】
【特許文献１】特許第４２０４８１９号公報（特開２００４−５７３４５号公報）
【発明の概要】
【発明が解決しようとする課題】
【０００６】
さて、特許文献１のように脚装置に広い面積の天板支持部（ブラケット）を設けると、テーブルを連結するために脚装置を内側位置（第１脚取付部）に配置する場合、支持強度の面では、天板支持部の固定位置はできるだけ天板の外側に寄った部位にするのが好ましい。すなわち、テーブル同士を連結する場合、天板の当接辺に沿って前後２本の脚装置が配置されているが、前後の脚装置の天板支持部の間隔をできるだけ大きくするのが支持強度確保という点で好ましい。
【０００７】
しかし、特許文献１では、脚装置は同じ姿勢で外側位置と内側位置とにずらし移動させるに過ぎず、外側位置にある状態では、天板支持部は脚本体よりも天板の当接辺に沿って内側に位置しているため、内側位置に配置した状態でも、天板支持部は脚本体よりも天板の当接辺に沿って内側に位置しており、このため、支持強度の面では万全と言い難いおそれがあった。
【０００８】
本願発明は、このような現状を改善すべく成されたものである。
【課題を解決するための手段】
【０００９】
請求項１のテーブルは、４つのコーナー部を有する平面視四角形の天板と、前記天板を各コーナー部において支持する４本の脚装置とを備えており、複数台を左右に連結可能なテーブルであって、まず、前記脚装置は、上下に長い脚本体とその上端に設けられたブラケットとを有しており、平面視において前記脚本体の中心とブラケットの中心とは互いにずれており、前記各脚装置を、前後脚装置の前後間隔が広がっている外側位置と前後間隔が狭まっている内側位置との２つの位置を選択して前記天板の下面にねじで固定できる、という構成になっている。
【００１０】
更に、請求項１の発明では、
前記天板の下面には、前記天板における左右長手の辺に沿って延びる左右横長の第１補強フレームと、天板における前後長手の辺に沿って延びる第２補強フレームとが固定可能であり、
前記脚装置が内側位置にある状態では前記第１補強フレームが使用されて、前記ブラケットの端部に設けた係合部が前記第１補強フレームの端部に下から重なってそれらがねじで天板に共締めされ、前記脚装置が前記外側位置にある状態では前記第２補強フレームが使用されて、前記ブラケットの端部に設けた係合部が前記第２補強フレームの端部に下から重なってそれらがねじで天板に共締めされるように設定されている。
【００１１】
請求項２の発明は、請求項１において、前記脚装置が外側位置にあるときは、平面視で前記脚本体の中心と前記ブラケットの中心とを結ぶ線が天板の対角方向と略同じ方向に延びており、前記内側位置にあるときの脚装置の平面視姿勢は、前記外側位置にあるときの脚装置の平面視姿勢を略９０°水平旋回させた状態になっている。
【００１２】
請求項３の発明は、４つのコーナー部を有する平面視四角形の天板と、前記天板を各コーナー部において支持する４本の脚装置とを備えており、複数台を左右に連結可能なテーブルに関する。そして、前記前記脚装置は、上下に長い脚本体とその上端に設けられたブラケットとを有しており、前記ブラケットは４つのコーナー部を有する平面視正方形であって、前記ブラケットにおける４つの各コーナー部に、上下に貫通したねじ穴が周方向に等間隔で形成されている一方、前記脚本体は、平面視において前記ブラケットの外側の位置でかつ、前記ブラケットにおける１つの対角方向の延長線上に位置しており、前記脚装置のブラケットを平面視で９０°水平旋回させて前記天板への取付け姿勢を変えると、前記脚本体の位置が前記ブラケットの軸心に対して前後に変化するようになっている。
【００１３】
請求項４の発明は、平面視四角形の天板を有していて複数台を左右に連結できるテーブルに使用される脚装置に関するものであり、脚装置の構成は請求項３と同じである。
【発明の効果】
【００１４】
本願発明では、補強フレームによって天板が補強されることに加えて、脚装置が外側位置にあるときと内側位置にあるときとのいずれにおいても、脚装置のブラケットと補強フレームの係合部とが天板に共締めされるため、天板と補強フレームと脚装置との一体感が向上してより一層強度を向上できる。
また、脚装置を外側位置と内側位置とに付け替えるにおいて、請求項２のように構成すると、外側位置ではブラケットが脚支柱の内側に位置して、内側位置ではブラケットが脚支柱の外側に位置するように姿勢が変わるため、内側位置のときに脚支柱が特許文献１と同じ位置にあると仮定すると、ブラケットは特許文献１の場合よりも外側に位置しており、このため、天板の支持強度を向上できる（当接辺に沿って前後に配置されたブラケットの間隔を大きくできるので、支持強度が高い。）。
【００１５】
請求項２の構成を採用すると、ブラケットをできるだけ広い面積にしつつ、ブラケットが天板の外側にはみ出るのを防止すると共に、脚本体をできるだけ天板のコーナーの外端に近付けることができる。従って、ブラケットの固定強度を高めつつ脚本体のコーナーの端によせることができて、脚装置が外側位置にあるときの（テーブルを独立して使用するときの）天板の支持強度向上に一層貢献できる。また、脚装置は外側位置にあるときの姿勢から略９０°水平旋回させてもブラケットが天板の外側に露出することはないため、脚装置を内側位置に配置する（テーブルを連結する）機能を阻害することはない。
【００１６】
【図面の簡単な説明】
【００１７】
【図１】（Ａ）は実施形態に係るテーブルの斜視図、（Ｂ）は配線受けの斜視図である。
【図２】天板を仮想線で示した全体平面図である。
【図３】（Ａ）は要部拡大平面図、（Ｂ）は（Ａ）のＢ−Ｂ視断面図、（Ｃ）は（Ａ）の部分破断図、（Ｄ）は（Ｃ）から第２補強フレームを取り外した状態の図である。
【図４】（Ａ）は図２の IV-IV視図、（Ｂ）は脚本体と配線カバーとの分離斜視図である。
【図５】要部の分離斜視図である。
【図６】図３（Ａ）のVI-VI 視断面図である。
【図７】（Ａ）（Ｂ）は脚装置の分離斜視図、（Ｃ）は脚装置の平断面図、（Ｄ）は脚本体と配線ダクトとの分離平面図である。
【図８】連結状態での平面図である。
【図９】他の実施形態を示す分離斜視図である。
【発明を実施するための形態】
【００１８】
次に、本願発明の実施形態を図面に基づいて説明する。まず、図１〜８に示す第１実施形態を説明する。テーブル１は、平面視四角形（正方形）の天板２とこれを四隅部（４つのコーナー部）において支持する４本の脚装置３とを有しており、図１に実線で示すように単体で使用できると共に、同じく図１に一点差線で付加して示すように、複数のテーブル１を、一辺（左右の辺）を互いに当接した状態で左右に連結することができる。
【００１９】
テーブル１を単体で独立して使用する場合は、その四周の外側に例えば１人ずつ腰掛けることができ、従って、テーブル１に前後や左右の違いはないが、便宜的に、左右に連結すると定義して、連結した状態を基準にして、天板２の四周のうち互いに当接する左右の辺を当接辺と呼んで符号２ａを付し、当接辺２ａと直交した前後２つの辺は外辺と呼んで符号２ｂを付している。テーブル１を三連以上に連結する場合は、中間に位置したテーブルには２つの当接辺２ａが存在する。
【００２０】
(1).脚装置
まず、脚装置３を説明する。例えば図５，７に示すように、脚装置３は、上下に長い脚本体（脚支柱）４と、その上端に固定したブラケット５とを有している。脚本体４は、例えばアルミ押し出し製品のような金属製の中空品であり、１つのコーナー部はカットされた面取り部６になっている。また、図７（Ｃ）に明示するように、脚本体４の内周部のうち面取り部６を除いた３つのコーナー部には、軸心方向に開口した縦溝７が形成されており、この縦溝７にビスをねじ込みできるようになっている。縦溝７は、基本的には円形で、脚本体４の内部方向に向いて開口している。
【００２１】
ブラケット５は、例えばアルミダイキャスト品や亜鉛ダイキャスト品のような金属又は樹脂の成形品であり、脚本体４の内部にきっちり嵌まる足部８と、天板１の下面に重なる平面視四角形（正方形）のサポート部９とを有しており、サポート部９は、脚本体４の軸心を挟んで面取り部６の方向（脚本体４の対角方向）にはみ出た状態になっている。従って、図３（Ａ）に示すように、脚本体４の中心Ｏ１とサポート部９の中心Ｏ２とは平面視で互いにずれている（脚本体４がサポート部９の外側に位置している）と共に、両中心Ｏ１，Ｏ２を結ぶ線Ｏ３は、サポート部９及び脚本体４の１つの対角方向（正確には、平面視で外辺２ｂと当接辺２ａとに４５°ずつ傾斜した方向）に延びている。或いは、線Ｏ３は、脚本体４の各面とは平面視で４５°の角度で交差していると言い換えることも可能である。
【００２２】
図７（Ａ）に示すように、ブラケット５のうち足部８の上端には脚本体４の上端面に重なるフランジ部１０を設けて、このフランジ部１０を脚締結ねじ１１で脚本体４に固定している。すなわち、脚締結ねじ１１を脚本体４の縦溝７にねじ込むことで、ブラケット５を脚本体４に固定している。また、脚本体４のうち面取り部６の上端部から、止めねじ１２を足部８にねじ込んでいる。このため、足部８は脚本体４にしっかりと固定される。
【００２３】
脚本体４の上部のうち面取り部６を中心にした部位には切欠き１３が形成されている一方、ブラケット５における足部８には、切欠き１３に嵌まる段部１４が形成されており、段部１４とフランジ部１０とに連続した状態で、アーム部１５が脚本体４の対角方向（Ｏ３の方向）に延びている。そして、アーム部１５にサポート部９が一体に設けられている（サポート部９にアーム部１５を設けて、アーム部１５を足部８に連続させていると表現することも可能である。）。
【００２４】
フランジ部１０はアーム部１５の基端から段落ちした状態になっているが、フランジ部１０の上端を、アーム部１５（或いはサポート部９）の上面と同一面と成すことも可能である。サポート部９の上面には、多数の凹所１６を形成している。
【００２５】
サポート部９のうち脚本体４と反対側のコーナー部は、平面視四角形で段落ちした係合部１７になっており、係合部１７を構成する底板に平面視円形のボス部１８を上向きに突設し、このボス部１８に、上下に貫通した取り付け穴１９を空けている。係合部７は平面視で正方形になっており、ボス部１８は正方形の中心に位置している。サポート部９の他のコーナー部にも上下に貫通した取り付け穴１９が空いている。従って、４つの取り付け穴１９の間隔寸法Ｗ１は同じ寸法になっている。
【００２６】
図４（Ａ）に示すように、脚本体４の下端面には受け板２０がビスで固定されており、受け板２０にアジャスタボルト２１を取り付けている。また、例えば図４（Ｂ）に示すように、脚本体４の４つのコーナー部のうち面取り部６を挟んだ両側のコーナー部に張り出し部２２を設け、この張り出し部２２に、面取り部６の方向に開口した蟻溝２３を設けている。蟻溝２３には、配線ダクト２４や化粧カバー（図示せず）を取り付けることができる。
【００２７】
(2).天板への脚装置の取り付け構造
本実施形態の天板２は木質系であり、そこで、耐荷重能力をアップするため、図２に示すように、天板２の下面には各辺に沿って延びる補強フレーム２６，２７を固定している。補強フレーム２６，２７は断面四角形（正方形）の角形鋼管を使用しており、天板２の外辺（前後辺）２ｂと平行に延びる２本の第１補強フレーム２６と、天板２の当接辺（左右辺）２ａと平行に延びる２本の第２補強フレーム２７とで構成されている。図３（Ｂ）に代表して示すように、補強フレーム２６，２７は、それぞれ複数箇所がフレーム用ねじ（ボルト）２８で天板２に固定されており、天板２には、ねじ２８がねじ込まれる鬼目ナット２９を埋設している。
【００２８】
図２及び図３（Ａ）に示すように、第２補強フレーム２７は、その一側面が第１補強フレーム２６の端面に当接するように配置されており、かつ、第２補強フレーム２７の両端部は第１補強フレーム２６の前後外側にはみ出ている。
【００２９】
そして、脚装置３は、テーブル１を単体で使用する場合は、例えば図２のように、天板２のコーナー部の箇所の外側位置に配置され、テーブル１を連結して使用する場合は、図８に示すように、天板２の当接辺２ａに沿って外辺２ｂから奥側に入り込んだ内側位置に配置されるが、脚装置３が外側位置にあるときには、ブラケット５の係合部１７が第２補強フレーム２７の端部に下方から嵌合しており、係合部１７と第２補強フレーム２７とが締結用ねじ３０で天板２に共締めされている。なお、脚装置３が外側位置にあるときには前後脚装置３の間隔は広がって、脚装置３が内側位置にあるときには、前後脚装置３の間隔は狭まる。
【００３０】
敢えて述べるまでもないが、締結用ねじ３０は、ブラケット５の取り付け穴１９に下方から挿通される。また、天板２の下面には、外側位置においてブラケット５を固定するための４つの第１ねじ穴３２の群と、内側位置においてブラケット５を固定するための４つの第２ねじ穴３３の群とが予め形成されている。図６に示すように、両ねじ穴３２，３３は鬼目ナット２９で構成されている。
【００３１】
テーブル１を連結して使用する場合は、脚装置３は内側位置に配置されるが、この場合は、外辺２ｂを基準にして、脚本体４がブラケット５よりも内側に位置するように、脚装置３は、外側位置の場合の姿勢に対して９０°水平旋回させている。そして、脚装置３を内側位置に配置する場合は、第２補強フレーム２７と天板２から取り外して、ブラケット５の係合部１７を第１補強フレーム２６の端部に下方から嵌合し、ブラケット５の係合部１７と第１補強フレーム２６の端部とを締結用ねじ３０で天板３に共締めしている。両補強フレーム２６，２７とも、その端部には、ブラケット５のボス部１８が嵌まる嵌合穴３１が上下に貫通している。
【００３２】
図３（Ｃ）に示すように、第１補強フレーム２６の両端部には、平面視コの字形の可動クランプ３４が配置されている。可動クランプ３４の両側板３４ａに、第１補強フレーム２６の長手方向に延びる長穴３５が空いており、第１補強フレーム２６に挿通した水平状のストッパーピン３６が長穴３５に嵌まっている。ストッパーピン３６は、嵌合穴３１を挟んで第２補強フレーム２７と反対側に位置している。
【００３３】
そして、可動クランプ３４は長穴３５のストロークでスライドし得るが、第１補強フレーム２６の外側に向かった方向に移動し切ると、両側板３４ａが繋がって基部が第２補強フレーム２７の側面に近接し、外側に向かって移動し切ると、基部が嵌合穴３１よりもピン３５の側に位置するように設定している。また、可動クランプ３４の基部には雌ねじが切られたバーリング部３７を設けており、第２補強フレーム２７に挿通したボルト３８をバーリング部にねじ込むことにより、第２補強フレーム２７を第１補強フレーム２７に強固に固定している。
【００３４】
テーブル１を互いに連結する手段としては、図８に示すように、例えば、金属板より成る連結板３９を２枚の天板２に跨がるように配置し、これをビス４０で両天板２に固定したらよい。天板２の連結に第１ねじ穴３２を利用することも可能であり、この場合は、図８に二点鎖線で示すように、４個ずつの第１ねじ穴３２をフルに利用して連結板３９′を締結したり、１つずつ（或いは２つずつ）の第１ねじ穴３２を利用して、連結板３９″を締結することも可能である。
【００３５】
脚装置３が内側位置にあるときには第２補強フレーム２７は使用しないので、第２補強フレーム２７を天板同士の連結部材に使用することも可能である。当然ながら、他の連結手段（連結部材）も採用できる。また、図８に示すように、脚装置３が内側位置にあるときには、第２補強フレーム２７を第１補強フレーム２６の外側に重ね配置しておくことも可能であり、この場合は、連結仕様から独立仕様に変更することを簡単に実現できる。
【００３６】
なお、図１に示すように、天板２の中央部には平面視四角形の配線穴４５が空いており、天板２の下面にはケーブル受け４６を固定している。ケーブル受け４６は上向き開口の箱状になっており、各コーナー部に配線通路４７を形成している。
【００３７】
(3).実施形態のまとめ
既に説明したように、テーブル１を単体で独立して使用する場合は、脚装置１を天板２のコーナーに寄せた外側位置に配置することにより、高い支持安定性を確保できる。特に、実施形態のように脚本体４とブラケット５（サポート部９）とを平面視で正方形に形成すると、ブラケット５を天板２の下面に隠しつつ、脚本体４を天板２のコーナー一杯まで寄せることができるため、より高い支持安定性を確保できる。
【００３８】
脚本体４の支持スパンが大きくなると、天板２に作用する曲げモーメントも大きくなるが、本実施形態のように補強フレーム２６，２７を設けると、天板２の剛性を向上させて高い強度を確保できる利点がある。また、脚装置３のブラケット５は外側位置でも内側位置でも天板２に単に締結するだけでもよいが、本実施形態のように、両位置において補強フレーム２６，２７の端部を天板２に共締めすると、ブラケット５と補強フレーム２６，２７との一体性を確保して一層頑丈な構造になる。
【００３９】
さて、第１補強フレーム２６は天板２の補強機能を有するが、補強機能の確保という点では、第１補強フレーム２６はなるべく天板２の外辺２ｂに寄せるのが好ましい。他方、脚装置３を内側位置にずらすのは使用者の足の邪魔にならないようにするためであり、従って、脚装置３を内側位置に配置した状態では、脚本体４は、天板２の安定性を確保した状態で、なるべく外辺２ｂよりも内側に位置しているのが好ましい。
【００４０】
そして、仮に、脚装置３をその姿勢を変えずに外側位置から当接辺２ａに沿ってずらしたに過ぎない状態でブラケット５を第１補強フレーム２６に固定すると、脚本体４はブラケット５の手前側（外辺２ｂに近い側）に位置するため、脚本体４が使用者の足に当たりやすくなるという問題が生じる。すなわち、第１補強フレーム２６を外側に寄せて天板２の補強機能を向上させるという機能と、テーブル１の連結時に脚本体４をできるだけ内側（奥側）に位置させて人の足の邪魔にならないようにする機能とが、相反することになる。
【００４１】
これに対して本実施形態では、脚装置３を内側位置に配置すると脚本体４はブラケット５よりも前後内側に位置するため、第１補強フレーム２６を奥に寄せ過ぎることなく脚本体４をできるだけ内側（奥側）に配置できるのであり、その結果、天板２の補強機能と使用者の足当たり防止機能とを両立できる。この点、本実施形態の利点の１つである。
【００４２】
また、図３（Ａ）に示すように、第１補強フレーム２６の嵌合穴３１は、第２補強フレーム２７の嵌合穴３１よりも、当接辺２ａと反対側に第２補強フレーム２７の幅寸法分だけずれており、従って、脚装置３を内側位置に配置すると、脚本体４は、外側位置にあるときよりも、第２補強フレーム２７の幅寸法分だけ当接辺２ａと反対側にずれることになり、隣り合ったテーブル１における脚本体４の間隔寸法Ｗ２は、脚装置３を外側位置に配置した場合の間隔寸法よりも大きくなる。このため、外辺２ｂの方向の支持スパンを小さくして、天板２の耐曲げ強度を向上できる。
【００４３】
(4).第２実施形態
図９では、ブラケット５及び補強フレーム２６，２７の変形例である第２実施形態を示している。この実施形態は、ブラケット５の係合部１７が第１実施形態と相違しているだけであり、他の構成は第１実施形態と同じである。
【００４４】
すなわち、この実施形態では、ブラケット５の係合部１７は、中間高さ位置に中間板４２を設けて、中間板４２の上下両側にボス部４３を突設した構成になっており、補強フレーム２６，２７の端部には、中間板４２に嵌まる切り開き溝４４を形成している。ボス部４３は補強フレーム２６，２７の内部に入り込むようになっている。なお、切り開き溝４４の上下内面と中間板４２とは、接触していてもよいし、接触していなくてもよい。
【００４５】
（Ａ）の実施形態では、補強フレーム２６，２７の２枚の側板にそれぞれ切り開き溝４４を形成しているが、（Ｂ）に示す例では、補強フレーム２６，２７の１枚の側板のみに切欠き溝４４を形成している。従って、（Ｂ）の例では、中間板４２は平面視で補強フレーム２６，２７の板厚分だけサポート部９の外面から段落ちしている。いずれにしても、図９の実施形態では、ボス部４３が補強フレーム２６，２７の上下板で挟まれるため、強度的に優れていると言える。
【００４６】
(5).その他
本願発明は、上記の実施形態の他にも様々に具体化できる。例えば天板は正方形である必要はなく、長方形であってもよい。天板が長方形の場合、その短辺同士を当接させて連結する態様と、長辺同士を当接させて連結する態様との２つの連結態様を選択できる。
【００４７】
脚装置の具体的な形状・構造も任意に設定できる。例えば、ブラケットと脚本体とを一体構造にすることも可能であり、逆に、脚本体とブラケットとのうち一方又は両方を複数の部材で構成することも可能である。脚本体を円形に設定して、ブラケット５を正方形等の四角形に設定することも可能である。
【００４８】
また、長方形で長さが長いテーブルの場合、位置が固定された中間脚を設けることも可能である。中空角形の補強フレームとしては、断面Ｃ形のチャンネル鋼も使用できる。
【産業上の利用可能性】
【００４９】
本願発明は、テーブルに具体化できる。従って、産業上利用できる。
【符号の説明】
【００５０】
１  テーブル
２  天板
２ａ  当接辺
２ｂ  外辺
３  脚装置
４  脚本体
５  ブラケット
８  足部
９  サポート部
１７  係合部
１８  ボス部
１９  ブラケットに設けた取り付け穴
２６  第１補強フレーム
２７  第２補強フレーム
３０  締結用ねじ
３１  嵌合穴
３２  第１ねじ穴
３３  第２ねじ穴
３４  可動クランプ
【図１】
0005986366.tif 000002
【図２】
0005986366.tif 000003
【図３】
0005986366.tif 000004
【図４】
0005986366.tif 000005
【図５】
0005986366.tif 000006
【図６】
0005986366.tif 000007
【図７】
0005986366.tif 000008
【図８】
0005986366.tif 000009
【図９】
0005986366.tif 000010